(57)【要約】【課題】各種の大きさ及び形状の工具類や部品類を個々最適に収納可能な工具袋を得る。【解決手段】内部に収納空間Ｓを形成する収納体として、上面が開口して底１３を有する下部収納体１１と、上下面が共に開口して上部に吊り部材３４を備える上部収納体３１と、上下面が共に開口する中間収納体５１との三種類を用意しておき、下部収納体１１の上部と上部収納体３１の下部とを連結して互いの収納空間を連ならせる第一の連結態様と、下部収納体１１の上部と上部収納体３１の下部との間に一又は二以上の中間収納体５１を介在させて連結して個々の収納空間Ｓを連ならせる第二の連結態様とを実現可能とし、全体としての収納空間Ｓの深さを様々な深さに変更できるようにした。【選択図】図１
2013043257.tif 000002
【特許請求の範囲】
【請求項１】
上面が開口して内部に収納空間を形成する底付きの下部収納体と、
上下面が共に開口して内部に収納空間を形成し上部に吊り部材を備える上部収納体と、
上下面が共に開口して内部に収納空間を形成する中間収納体と、
前記下部収納体の上部と前記上部収納体の下部とを連結して互いの前記収納空間を連ならせる第一の連結態様と、前記下部収納体の上部と前記上部収納体の下部との間に一又は二以上の前記中間収納体を介在させて連結して個々の前記収納空間を連ならせる第二の連結態様とを実現する連結部と、
を備えることを特徴とする収納袋。
【請求項２】
前記連結部は、
連結強度を維持するための強度維持部と、
連結される下方の前記収納体の上縁と上方の前記収納体の下縁とを隙間なく結合するための結合部と、
を備えることを特徴とする請求項１に記載の収納袋。
【請求項３】
前記強度維持部は、スナップボタンを用いて上下の前記収納体を連結する、ことを特徴とする請求項２に記載の収納袋。
【請求項４】
前記強度維持部は、フックを用いて上下の前記収納体を連結する、ことを特徴とする請求項２に記載の収納袋。
【請求項５】
前記結合部は、線ファスナーを用いて上下の前記収納体を結合する、ことを特徴とする請求項２ないし４のいずれか一に記載の収納袋。
【請求項６】
前記結合部は、面ファスナーを用いて上下の前記収納体を結合する、ことを特徴とする請求項２ないし４のいずれか一に記載の収納袋。
【請求項７】
前記吊り部材は、前記上部収納体に対して着脱自在で、前記下部収納体に着脱自在に付け替え可能である、ことを特徴とする請求項１ないし６のいずれか一に記載の収納袋。
【請求項８】
上面が開口して内部に収納空間を形成する底付きの下部収納体と、
上下面が共に開口して内部に収納空間を形成し上部に吊り部材を備える上部収納体と、
前記下部収納体の上部と前記上部収納体の下部とを連結して互いの前記収納空間を連ならせる連結部と、
を備えることを特徴とする収納袋。
【発明の詳細な説明】
【技術分野】
【０００１】
本発明は、電気工事や建築工事などにおいて、各種の工具類や部品類などを収納して持ち運んだり、作業員の手元近くに保持したりするのに便利な工具袋に関する。
【背景技術】
【０００２】
電気工事や建築工事の現場では、各種の工具類や部品類などを工具袋に収納し、作業場所に持ち運んで使用する。特に、作業員が高所作業車のバスケットに乗って作業をするような場合、バスケットに工具袋を吊り下げておき、吊り下げた工具袋に対して工具類や部品類を出し入れするようなことも良く行なわれている。工具袋は、工具類や部品類をまとめて持ち運ぶのに便利なだけでなく、それらを作業員の手元近くに保持し、作業効率を上げるのにも一役買うわけである。
【０００３】
ところで、作業袋に入れる工具類や部品類は、その嵩が一定ではない。工具類を例に挙げるなら、ペンチやドライバーなどの小物から操作棒などの大物に至るまで、様々な大きさや形状の工具類がある。これらを一様に作業袋に入れると、小さな収納物の場合には、どうしても工具袋から取り出しにくくなってしまうという恨みがある。反対に、操作棒のような長尺物の場合、その収納状態が安定せず、作業袋から脱落する危険性すらある。このような事態に対処するためには、各種の大きさ及び深さを持つ収納袋を多種類用意しておき、その時々に応じて適した種類の収納袋を使用するしかない。
【０００４】
この点、特許文献１には、収納袋の内部に、比較的小さな収納物を収納するための三種類の収納ポケットを設けた工具袋が記載されている（要約参照）。一つはペンチ、ラチェットレンチ、ドライバーなどの比較的使用頻度が高い工具の収納用、別の一つはワイヤーブラシ、やすり、モンキーレンチ、折り尺、ナイフなどの収納用、更に別の一つはボルト、ナット、コッター、割りピン、ビニールテープ、バインドなどの小物資材の収納用とのことである（要約、段落０００８参照）。このような工具袋を用いれば、工具袋の本体部分に比較的大振りな工具類（例えば、金車、台付ワイヤー、碍子など）を収納しつつ（段落０００９参照）、比較的小振りな工具類や部品類を収納ポケットに分類して収納することで、全ての工具類や部品類が整理整頓されて出し入れし易くなる。
【先行技術文献】
【特許文献】
【０００５】
【特許文献１】実開平０６−０３６７９０号公報
【特許文献２】特開２００７−１３５９９２号公報
【発明の概要】
【発明が解決しようとする課題】
【０００６】
特許文献１に記載された工具袋によれば、確かに、小物類の出し入れがし易くなる。しかしながら、比較的大振りな収納物に関しては、その収納空間の大きさを一種類しか提供できないため、各種の大きさ及び形状の収納物を個々最適に収納するということができない。この意味では、工具袋の本体部分に関して云うならば、各種の大きさ及び深さを持つ収納袋を多種類用意しておき、その時々に応じて適した種類の収納袋を使用するしかないという、従前の課題を解決し得ないわけである。
【０００７】
この出願の発明者は、そのような課題の解決を従来の技術から見出そうと試み、特許の先行技術調査を実施した。その結果見出したのが、特許文献２である。この文献には、工具類の収納が可能な有底筒状体の胴体部の内周にコイルバネを配設し、有底筒状体を上下方向に伸縮自在にすることが記載されている（段落０００２参照）。しかしながら、この構造は、工具袋について、「不使用時には小さく折り畳んで嵩の低いものにしておく」ための構造であり（段落０００３参照）、この構造から直ちに、各種の大きさ及び形状の収納物を個々最適に収納したいという課題の解決には結びつかない。
【０００８】
本発明は、このような点に鑑みなされたもので、各種の大きさ及び形状の工具類や部品類を個々最適に収納可能な工具袋を得ることを目的とする。
【課題を解決するための手段】
【０００９】
本発明の収納袋は、上面が開口して内部に収納空間を形成する底付きの下部収納体と、上下面が共に開口して内部に収納空間を形成し上部に吊り部材を備える上部収納体と、上下面が共に開口して内部に収納空間を形成する中間収納体と、前記下部収納体の上部と前記上部収納体の下部とを連結して互いの前記収納空間を連ならせる第一の連結態様と、前記下部収納体の上部と前記上部収納体の下部との間に一又は二以上の前記中間収納体を介在させて連結して個々の前記収納空間を連ならせる第二の連結態様とを実現する連結部と、を備えることによって上記課題を解決するようにした。
【発明の効果】
【００１０】
本発明によれば、個々の収納体を第一の連結態様と第二の連結態様とに選択的に連結することで、収納空間の深さを様々な深さに変更することができ、したがって、各種の大きさ及び形状の工具類や部品類を個々最適に収納することができる。
【図面の簡単な説明】
【００１１】
【図１】実施の一形態を示す、下部収納体と上部収納体と中間収納体との分解斜視図。
【図２】連結部が備える強度維持部の実施の一形態（スナップボタン）として、（ａ）は非連結状態、（ｂ）は連結状態をそれぞれ示す側面図。
【図３】図２に示すスナップボタンの（ａ）はスナップ凹部の正面図、（ｂ）はスナップ凸部とスナップ凹部とが嵌り合っている状態を示す縦断側面図。
【図４】連結部が備える強度維持部の別の実施の一形態（フック）として、（ａ）は非連結状態、（ｂ）は連結状態をそれぞれ示す側面図。
【図５】図４に示すフックの（ａ）は引掛け金が鉤部に引っ掛けられていない状態、（ｂ）は引掛け金が鉤部に引っ掛けられている状態をそれぞれ示す正面図。
【図６】連結部が備える結合部の別の実施の一形態（面ファスナー）として、（ａ）は上下の離反する収納体が結合されようとしている状態、（ｂ）は上下の収納体が結合された状態をそれぞれ示す側面図。
【図７】収納袋の各種態様として、（ａ）は下部収納体と上部収納体とが第一の連結態様に連結された状態、（ｂ）は下部収納体と上部収納体と一つの中間収納体とが第二の連結態様に連結された状態、（ｃ）は下部収納体と上部収納体と二つの中間収納体とが第二の連結態様に連結された状態をそれぞれ示す模式図。
【図８】吊り部材を上部収納体から下部収納体に付け替える過程として、（ａ）は吊り部材が上部収納体に取り付けられている状態、（ｂ）は上部収納体から吊り部材が取り外された状態、（ｃ）は吊り部材が下部収納体に付け替えられた状態をそれぞれ示す模式図。
【発明を実施するための形態】
【００１２】
１．概要
実施の形態を図面に基づいて説明する。本実施の形態は、筒状をした三種類の収納体（下部収納体１１、上部収納体３１、中間収納体５１）を適宜に繋ぎ合わせ、その内部の収納空間Ｓの深さを好みの深さに変更できるようにした工具袋１である。
【００１３】
図１に示すように、工具袋１は、下部収納体１１と上部収納体３１と中間収納体５１とを、連結部１０１によって適宜繋ぎ合わせて形成される。この際、「適宜繋ぎ合わせ」と云っているのは、下部収納体１１と上部収納体３１とのみを連結する第一の連結態様Ａ（図７（ａ）参照）と、下部収納体１１と上部収納体３１との間に中間収納体５１を介在させて連結する第二の連結態様Ｂ（図７（ｂ）、（ｃ）参照）とを、自由に選択できるからである。しかも、第二の連結態様Ｂについては、中間収納体５１を介在させる個数を適宜設定し、収納空間Ｓの深さを適宜変更することが可能である。図７（ａ）は中間収納体５１を一つだけ介在させた例、図７（ｂ）は中間収納体５１を二つ介在させた例をそれぞれ示している。以下、各部の詳細を順に説明する。
【００１４】
２．詳細
（１）収納体（下部収納体１１、上部収納体３１、中間収納体５１）
下部収納体１１は、所定の直径及び深さを有する円筒状の部材で、上面に開口１２、底部に底１３を有し、内部に収納空間Ｓを形成している。開口１２の近くには、その周囲に亘り、スナップボタン１１１の一部をなすスナップ凸部１１２が一定の間隔で配置されている。スナップボタン１１１は、スナップ凸部１１２とスナップ凹部１１３とが嵌り合う構造のもので、強度維持部として連結部１０１の一部をなす。連結部１０１の他の一部をなすものはジッパー１３１である。下部収納体１１の開口１２をなす上縁には、その全周に亘ってジッパー１３１の一部をなす上ジッパー金具１３２が取り付けられている。ジッパー１３１は、上ジッパー金具１３２とこれと対をなす下ジッパー金具１３３とをスライダ１３４で開閉する構造の線ファスナーである。
【００１５】
上部収納体３１は、下部収納体１１と同一の直径及び深さを有する円筒状の部材で、上面に開口３２、下面にも開口３３を有し、内部に収納空間Ｓを形成している。下面の開口３３の近くには、その周囲に亘り、スナップボタン１１１の一部をなすスナップ凹部１１３を取り付けた連結片１１４が、下部収納体１１のスナップ凸部１１２と同一の間隔で取り付けられている。下面の開口３３をなす下縁には、また、その全周に亘ってジッパー１３１の一部をなす下ジッパー金具１３３が取り付けられている。この下ジッパー金具１３３の方には、スライダ１３４も取り付けられている。スライダ１３４には、操作者が掴んで操作し易くするために、引き手１３５が設けられている。
【００１６】
上部収納体３１には、更に、吊り部材３４が取り付けられている。吊り部材３４は、工具袋１の全体を手に持って持ち運んだり、何処かに引っ掛けてぶら下げたりするのに用いられる紐状部材であり、上部収納体３１に対して着脱自在である。そのための構造として、上部収納体３１は上面近くの二箇所に矩形中抜き形状の取付金具３５を有し、吊り部材３４はその両端に取付金具３５に着脱自在に連結する連結金具３６を有している。連結金具３６は、例えば登山に用いられるカラビナのように、取付金具３５を通すための切欠きを一部に有する環状部材で、切欠きを開閉自在に閉じる構造を有している（図示せず）。
【００１７】
本実施の形態では、上部収納体３１に取り付けられている吊り部材３４を下部収納体１１に付け替えることができるようにしている。そのために、下部収納体１１にも、その上面近くの二箇所に矩形中抜き形状の取付金具３５を設けている。
【００１８】
中間収納体５１は、下部収納体１１及び上部収納体３１と同一の直径及び深さを有する円筒状の部材で、上面に開口５２、下面にも開口５３を有し、内部に収納空間Ｓを形成している。中間収納体５１は、上面の開口５２の近くにはスナップ凸部１１２、下面の開口５３の近くにはスナップ凹部１１３を取り付けた連結片１１４をそれぞれ配置している。これらのスナップ凸部１１２及び連結片１１４に取り付けたスナップ凹部１１３の配置位置は、上部収納体３１のスナップ凹部１１３及び下部収納体１１のスナップ凸部１１２と同一の間隔である。中間収納体５１は、また、上面の開口５２をなす上縁に上ジッパー金具１３２、下面の開口５３をなす下縁に下ジッパー金具１３３をそれぞれ取り付けている。前述したように、下ジッパー金具１３３の方には、スライダ１３４も取り付けられている。こちらのスライダ１３４にも、上部収納体３１が有するスライダ１３４と同様、引き手１３５が設けられている。
【００１９】
以上説明した各収納体（下部収納体１１、上部収納体３１、中間収納体５１）は、例えば、幌布などの繊維、繊維やゴムなどをメッシュ状にしたもの、ビニールなどによって形成されている。工具類や部品類を収納する関係上、それらの素材にはある程度の強度も求められる。
【００２０】
（２）連結部
（ａ）連結部の概要
連結部１０１は、強度維持部（スナップボタン１１１）と結合度（ジッパー１３１）とからなる。強度維持部をなすスナップボタン１１１は、連結部１０１における連結強度を維持する役割を担う。噛み砕いて云うと、複数個の収納体（下部収納体１１、上部収納体３１、中間収納体５１）を連結して工具袋１とした際、その収納空間Ｓに収納物を収納することによって連結部１０１に負荷が掛かるわけであるが、この負荷に打ち勝つだけの連結強度を連結部１０１に維持させるのが、スナップボタン１１１からなる強度維持部というわけである。もう一方の結合部をなすジッパー１３１は、複数個の収納体（下部収納体１１、上部収納体３１、中間収納体５１）を連結して工具袋１とした際、連結される下方の収納体の上縁と上方の収納体の下縁とを隙間なく結合する役割を担う。以下、スナップボタン１１１が実現する強度維持部とジッパー１３１が実現する結合部とを、個々に説明する。
【００２１】
（ｂ）強度維持部
図１ないし図３に示すように、強度維持部（スナップボタン１１１）は、上下方向に連結される収納体（下部収納体１１、上部収納体３１、中間収納体５１）のうち、下方に位置付けられる収納体にはスナップ凸部１１２、上方に位置付けられる収納体にはスナップ凹部１１３を配する。図２（ａ）及び図３（ｂ）に示すように、スナップ凸部１１２は先端に曲面形状の大径部１１２ａを有し、スナップ凹部１１３はその大径部１１２ａを内部に咥え込むことができるように構成されている。そのための構成として、スナップ凹部１１３は、一対の弾性棒１１３ａを平行に配列している。これらの弾性棒１１３ａは、スナップ凸部１１２の大径部１１２ａよりも僅かに狭い間隔で対向配置され、大径部１１２ａに押されたり引っ張られたりすることで対向間隔を広げる方向に弾性変形する。したがって、スナップ凸部１１２をスナップ凹部１１３に押し込むと、一対の弾性棒１１３ａが弾性変形してスナップ凹部１１３の内部への大径部１１２ａの進入を許し、スナップ凹部１１３が大径部１１２ａを内部に咥え込む。この状態は、スナップ凸部１１２とスナップ凹部１１３とがある程度の抜け止め強度をもって嵌り合った状態である。この抜け止め強度を超える外力をもってスナップ凸部１１２からスナップ凹部１１３を引っ張れば、一対の弾性棒１１３ａは再び弾性変形してスナップ凹部１１３からの大径部１１２ａの脱落を許し、スナップ凸部１１２からスナップ凹部１１３を離反させることができる。
【００２２】
（ｃ）結合部
図１に示すように、結合部（ジッパー１３１）は、上下方向に連結される収納体（下部収納体１１、上部収納体３１、中間収納体５１）のうち、下方に位置付けられる上ジッパー金具１３２と上方に位置付けられる下ジッパー金具１３３とをスライダ１３４で開閉し、上下の収納体を隙間なく結合する。スライダ１３４は、下ジッパー金具１３３に抜けることなくエンドレスにスライド自在に取り付けられており、上ジッパー金具１３２の一部を切り欠いて設けた導入部１３６を導入させるためのリテイナー（図示せず）を有している。上ジッパー金具１３２は、導入部１３６と切り欠いた部分を介して対面する位置に、スライダ１３４のスライドを規制してその抜け出しを防止するエンドストッパを有している。
【００２３】
（ｄ）強度維持部と結合部との関係
強度維持部をなすスナップボタン１１１は、前述したとおり、連結部１０１における連結強度を維持する役割を担う。これに対して、結合部をなすジッパー１３１は、連結強度を維持するという役目を負わず、上下方向に連結される収納体（下部収納体１１、上部収納体３１、中間収納体５１）のうち、連結される下方の収納体の上縁と上方の収納体の下縁とを隙間なく結合することを本旨とする。むしろ、ジッパー１３１の構造を考えたとき、上ジッパー金具１３２と下ジッパー金具１３３とに互いに離反する方向の力を加えることは望ましくない。このため、スナップボタン１１１は、上ジッパー金具１３２と下ジッパー金具１３３とに互いに離反する方向の力を加えることなく下方の収納体と上方の収納体とを連結するよう、スナップ凸部１１２とスナップ凹部１１３との配置位置を定めている。もっとも、何らかの事情によってスナップ凸部１１２とスナップ凹部１１３との嵌め合い状態が解除されてしまった場合、結果として、ジッパー１３１が連結部１０１における連結強度を維持することにはなろう。上記スナップボタン１１１（強度維持部）とジッパー１３１（結合部）との関係性は、このような不測の事態に発生する現象までをも否定する趣旨ではない。
【００２４】
（ｅ）強度維持部の別の実施の一形態
図４及び図５に示すように、強度維持部は、スナップボタン１１１を用いた構造に替えて、フック１２１を用いた構造としてもよい。このフック１２１は、スナップボタン１１１におけるスナップ凸部１１２に替えて設けた鉤部１２２と、スナップボタン１１１におけるスナップ凹部１１３に替えて設けた引掛け金１２３とよりなる。鉤部１２２は、Ｌ字を逆さまにした形状の金具で、収納体（下部収納体１１、中間収納体５１）の外周面との間に隙間Ｇを形成する。引掛け金１２３は、この隙間Ｇに挿入可能な大きさをした矩形中抜き形状の金具であり、スナップボタン１１１におけるスナップ凹部１１３と同様に、連結片１１４に固定されている。したがって、引掛け金１２３を隙間Ｇに挿入して鉤部１２２に引っ掛けることで、収納体（下部収納体１１、上部収納体３１、中間収納体５１）のうち、下方の収納体と上方の収納体とを連結強度を維持して連結することができる。
【００２５】
（ｆ）結合部の別の実施の一形態
図６に示すように、結合部は、線ファスナーであるジッパー１３１を用いた構造に替えて、面ファスナー１４１を用いた構造としてもよい。面ファスナー１４１は、周知のように、代表的には、微小な鉤状フックとループとが絡み合うことでフック面とループ面とがくっつく構造のものである。そこで、本実施の形態では、下側になる収納体（下部収納体１１、中間収納体５１）の上部外周にループ部材１４２を配置し、上側になる収納体（上部収納体３１、中間収納体５１）の下部外周から下方にフック部材１４３を間欠的に突出配置した。ループ部材１４２は、微小なループが多数形成されたループ面１４２ａを表面に有し、フック部材１４３は、微小な鉤状フックが多数形成されたフック面１４３ａを収納部から下方に突出する部分の裏面に有する。こうすることで、収納体（下部収納体１１、上部収納体３１、中間収納体５１）を上下に連結するに際して、ループ面１４２ａにフック面１４３ａがくっつき、上下の収納体を隙間なく結合することができる。
【００２６】
（３）作用効果
前述したとおり、下部収納体１１と上部収納体３１と中間収納体５１とを連結部１０１によって適宜繋ぎ合わせれば、工具袋１が完成する。この際、中間収納体５１を用いるかどうか、中間収納体５１を用いるとした場合のその数に応じて、収納空間Ｓの深さが異なる各種の工具袋１を意図も簡単に形成することができる。このような収納体の組み合わせを、図７及び図８に基づいて説明する。
【００２７】
図７（ａ）に示すように、下部収納体１１と上部収納体３１とのみを連結すれば（第一の連結態様Ａ）、収納空間Ｓの深さが浅い工具袋１を得ることができる。下部収納体１１と上部収納体３１とを連結するには、スナップボタン１１１（あるいはフック１２１）とジッパー１３１（あるいは面ファスナー１４１）とを用いればよい。
【００２８】
図７（ｂ）に示すように、下部収納体１１と上部収納体３１との間に一つの中間収納体５１を介在させて連結すれば（第二の連結態様Ｂ）、収納空間Ｓの深さが比較的深い工具袋１を得ることができる。下部収納体１１と上部収納体３１と一つの中間収納体５１とを連結するには、スナップボタン１１１（あるいはフック１２１）とジッパー１３１（あるいは面ファスナー１４１）とを用いて、下部収納体１１と中間収納体５１とを連結し、この中間収納体５１と上部収納体３１とを連結すればよい。
【００２９】
図７（ｃ）に示すように、下部収納体１１と上部収納体３１との間に二つの中間収納体５１を介在させて連結すれば（第二の連結態様Ｂ）、収納空間Ｓの深さがより深い工具袋１を得ることができる。下部収納体１１と上部収納体３１と二つの中間収納体５１とを連結するには、スナップボタン１１１（あるいはフック１２１）とジッパー１３１（あるいは面ファスナー１４１）とを用いて、下部収納体１１と一つの中間収納体５１とを連結し、この中間収納体５１ともう一つの中間収納体５１を連結し、更にこのもう一つの中間収納体５１と上部収納体３１とを連結すればよい。
【００３０】
以上、収納空間Ｓの深さを変更する手法について述べた。図７（ｃ）に示す工具袋１よりも深さが深い収納空間Ｓを望むならば、下部収納体１１と上部収納体３１との間に介在させる中間収納体５１の数を増やしていけばよい。
【００３１】
これに対して、図７（ａ）に示す工具袋１よりも更に深さが浅い収納空間Ｓを望むならば、図８に示すように、上部収納体３１に装着されている吊り部材３４を下部収納体１１に付け替え、下部収納体１１単独で工具袋１とすればよい。つまり、上部収納体３１に装着されている吊り部材３４を取り外し（図８（ａ）→図８（ｂ））、下部収納体１１に装着するわけである（図８（ｃ））。こうすることで、本来は工具袋１の一ユニットである下部収納体１１と同じ深さの収納空間Ｓを持った工具袋１とすることができる。
【００３２】
以上説明したとおり、本実施の形態によれば、個々の収納部を第一の連結態様Ａと第二の連結態様Ｂとに選択的に連結することで、収納空間Ｓの深さを様々な深さに変更することができ、したがって、各種の大きさ及び形状の工具類や部品類を個々最適に収納することができる。
【００３３】
その他、本実施の形態は、独自の構成に基づく特有の効果を有している。そのうちの一つとして、連結部１０１は、連結強度を維持するための強度維持部（スナップボタン１１１、フック１２１）と、連結される下方の収納体の上縁と上方の収納体の下縁とを隙間なく結合するための結合部（ジッパー１３１、面ファスナー１４１）とを有している。これにより、上下の収納体の連結強度を維持するための構造と上下の収納体を隙間なく結合するための構造とを分けることができ、結果的に、連結部１０１の構造の単純化や操作性の向上を図ることができる。つまり、スナップボタン１１１やフック１２１という簡単な構造物によって強度維持部を形成することができ、ジッパー１３１や面ファスナー１４１という簡単な構造物によって結合部を形成することができる。これに対して、強度維持部と結合部とを兼備する構造を採用するとなると、一つの構造物に二つの役割を担わせなければならないことから想像するに、構造の複雑化を招くであろうし、連結のための操作も複雑化することが予想されるわけである。
【００３４】
また、本実施の形態によれば、吊り部材３４が上部収納体３１に対して着脱自在で、下部収納体１１に着脱自在に付け替え可能であるため、極めて深さが浅い収納空間Ｓを持つ工具袋１を容易に形成することができる。これにより、小物類の収納保持に適した工具袋１を得ることができる。
【００３５】
また、収納体（下部収納体１１、上部収納体３１、中間収納体５１）の外装をメッシュ状部材によって形成した場合には、収納物を外部から容易に確認することができる。このため、一例ではあるが、長さが異なるものを複数収納するに際して収納空間Ｓの深さを長尺物に合わせた場合、長さが短く小さな物の収納位置を外部から確認し易くすることができる。このような作用効果は、下部収納体１１、上部収納体３１、中間収納体５１の全てにおいて外装をメッシュ状部材で形成しなくても、例えば中間収納体５１のみの外装をメッシュ状部材で形成するだけでも、十分に有効である。
【００３６】
更に、収納体（下部収納体１１、上部収納体３１、中間収納体５１）の外装をビニールによって形成した場合には、ある程度の防水性が期待できるので、工具袋１を水汲み用に用いることができる。この場合、個々の収納体（下部収納体１１、上部収納体３１、中間収納体５１）の内周面において、上方の収納体と下方の収納体との連結部分を塞ぐベロ状の部材（図示せず）を設けておけば、より高い防水性が期待でき、汲んだ水をある程度の時間保持したままにすることができる。
【００３７】
なお、個々の収納体（下部収納体１１、上部収納体３１、中間収納体５１）の形状や材質、採用する連結部１０１の構造、吊り部材３４の装着構造などについて、各種の変形や変更が可能であることは云うまでもない。
【符号の説明】
【００３８】
１１  下部収納体
１３  底
３１  上部収納体
３４  吊り部材
５１  中間収納体
１０１  連結部
１１１  スナップボタン（強度維持部）
１２１  フック（強度維持部）
１３１  ジッパー（結合部、線ファスナー）
１４１  面ファスナー（結合部）
Ａ  第一の連結態様
Ｂ  第二の連結態様
Ｓ  収納空間
【図１】
2013043257.tif 000003
【図２】
2013043257.tif 000004
【図３】
2013043257.tif 000005
【図４】
2013043257.tif 000006
【図５】
2013043257.tif 000007
【図６】
2013043257.tif 000008
【図７】
2013043257.tif 000009
【図８】
2013043257.tif 000010